(57)【要約】【課題】緊急警報放送は、いつ、どの放送局でおこなわれるかわからないので、ユーザが見落としてしまう場合があった。【解決手段】放送を受信し復調するチューナ部１０１と、放送局のチャンネル情報を格納した選局リスト保持部１０５と、選局リスト保持部１０５のチャンネル情報を基に、チューナ部１０１を制御し順次選局を行う選局制御部１０６と、選局した信号中に緊急警報放送が含まれるかを検出する緊急警報放送検出部１０２と、検出した緊急警報放送をユーザに提示する出力部とを備えることにより、どのチャンネルで緊急警報放送が始まっても、検出できる放送受信機を提供する。【選択図】図１
2008136163.tif 000002
【特許請求の範囲】
【請求項１】
放送を受信し復調するチューナ部と、
放送局のチャンネル情報を格納した選局リスト保持部と、
前記選局リスト保持部のチャンネル情報を基に、前記チューナ部を制御し順次選局を行う選局制御部と、
選局した信号中に緊急警報放送が含まれるかを検出する緊急警報放送検出部と、
検出した緊急警報放送をユーザに提示する出力部と、
を備えた放送受信機。
【請求項２】
放送局における中継局の物理チャンネル情報を格納した中継局情報保持部を備え、
前記選局制御部は、前記選局リスト保持部のチャンネル情報を順次選局するとともに、前記中継局情報保持部の中継局の物理チャンネルを順次選局する請求項１に記載の放送受信機。
【請求項３】
前記チューナ部は、異なる放送波を受信して復調し、
前記選局リスト保持部は、前記放送波の種類に応じたチャンネル情報を保持し、
前記選局制御部は、前記選局リスト保持部の全ての放送波のチャンネル情報を基に、前記チューナ部を制御し順次選局する請求項１または２に記載の放送受信機。
【請求項４】
現在位置を検出する現在位置検出部と、
前記選局リスト保持部のチャンネル情報の内、前記現在位置で受信可能な放送局のチャンネル情報を選択する選局リスト更新部と、
を備えた請求項１から３に記載の放送受信機。
【請求項５】
放送を受信し復調するチューナ部と、
放送に割り当てられた全ての周波数情報を基に、前記チューナ部を制御し順次選局を行う選局制御部と、
選局した信号中に緊急警報放送が含まれるかを検出する緊急警報放送検出部と、
検出した緊急警報放送をユーザに提示する出力部と、
を備えた放送受信機。
【請求項６】
選局した緊急警報放送の履歴を記憶する緊急警報放送履歴記憶部と、
緊急警報放送を選局するかどうかを判断する緊急警報放送選局判断部とを備えることを特徴とする請求項１に記載の放送受信機。
【請求項７】
前記緊急警報放送検出部は、選局した信号中に緊急警報放送が含まれるかを検出し、前記緊急警報放送履歴記憶部に緊急警報放送を含むチャンネル情報を記録することを特徴とする請求項６に記載の放送受信機。
【請求項８】
前記緊急警報放送検出部は、選局した信号中に緊急警報放送が含まれるかを検出し、前記緊急警報放送履歴記憶部から緊急警報放送を含まれないチャンネル情報を削除することを特徴とする請求項６に記載の放送受信機。
【請求項９】
前記緊急警報放送検出部は、選局した信号中の緊急警報放送が終了した場合に、前記緊急警報放送履歴記憶部から緊急警報放送が終了したチャンネル情報を削除することを特徴とする請求項６に記載の放送受信機。
【請求項１０】
前記緊急警報放送選局判断部は、前記緊急警報放送検出部が緊急警報放送を検出した場合に、前記緊急警報放送履歴記憶部に記憶されているチャンネルを繰り返し選局しないことを特徴とする請求項６に記載の放送受信機。
【請求項１１】
指定回数を設定する選局回数設定部を備え、
前記緊急警報放送選局判断部は、前記緊急警報放送検出部が緊急警報放送を検出した場合に、前記緊急警報放送履歴記憶部に記憶されているチャンネルを前記指定回数までカウントし、繰り返し選局することを特徴とする請求項６に記載の放送受信機。
【請求項１２】
前記緊急警報放送選局判断部は、前記緊急警報放送検出部が前記緊急警報放送履歴記憶部に記憶されているチャンネルで緊急警報放送を検出しなかった場合に、前記カウントをリセットすることを特徴とする請求項１１に記載の放送受信機。
【発明の詳細な説明】
【技術分野】
【０００１】
本発明は、緊急警報放送を受信することができる放送受信機に関するものである。
【背景技術】
【０００２】
地震や津波などの自然災害の発生を国民にいち早く知らしめて、被害を未然に防ぐ、あるいは最小限にとどめるために、ラジオやテレビの電波をもちいて緊急警報放送がおこなわれる。
【０００３】
特許文献１では、テレビが電源オフされているときでも、チューナが緊急警報放送を監視し続けており、緊急警報放送がはじまったときに、自動的に電源オンして、ユーザに告知する発明が開示されている。
【０００４】
また、特許文献２では、指定したチャンネルで、緊急警報放送を監視しつづけるという発明が開示されている。
【特許文献１】特開２００６−０３３０１３号公報
【特許文献２】特開平０９−００８６０７号公報
【発明の開示】
【発明が解決しようとする課題】
【０００５】
緊急警報放送は、いつ、どの放送局でおこなわれるかが予測できないので、ユーザが設定したチャンネルとは別のチャンネルで緊急警報放送がはじまったときに、それを検出できないという課題があった。
【０００６】
また、車載受信機のように、移動しながら使用する受信機の場合には、現在位置によって受信できる放送局が変化するため、緊急警報放送を監視するチャンネルもそれにあわせて変更しなければ検出できないという問題があった。
【０００７】
さらに、監視するに当たりチャンネルを変更する場合には、同一チャンネルの同一の緊急警報放送を繰り返し検出し、同一の緊急警報放送がユーザに繰り返し提示されるという問題も発生する。
【課題を解決するための手段】
【０００８】
上記第一の問題点に鑑み、本発明の放送受信機では、放送を受信し復調するチューナ部と、放送局のチャンネル情報を格納した選局リスト保持部と、前記選局リスト保持部のチャンネル情報を基に、前記チューナ部を制御し順次選局を行う選局制御部と、選局した信号中に緊急警報放送が含まれるかを検出する緊急警報放送検出部と、検出した緊急警報放送をユーザに提示する出力部とを備える。
【０００９】
さらに第二の問題点に鑑み、上記構成に係る放送受信機において、選局した緊急警報放送の履歴を記憶する緊急警報放送履歴記憶部と、緊急警報放送を選局するかどうかを判断する緊急警報放送選局判断部とを備える。
【発明の効果】
【００１０】
上記手段を用いることにより、どのチャンネルで緊急警報放送が始まっても、検出できる放送受信機を提供することができる。
【００１１】
さらに、同一チャンネルで送出される同一の緊急警報放送を、ユーザへ繰り返し選局させることにない放送受信機を提供することができる。
【発明を実施するための最良の形態】
【００１２】
以下、本発明の実施するための最良の形態として、図面を参照しながら説明する。
【００１３】
図１から図６は本発明の第一の発明の実施の形態であり、図７から図＊は本発明の第二の発明の実施の形態を示すものである。
【００１４】
（実施の形態１）
図１は本発明の実施の形態１における、放送受信機の構成を示すブロック図である。
【００１５】
図１において、チューナ部１０１は、電波を受信し、復調を行い、復調した信号を出力する。緊急警報放送検出部１０２は、復調信号のなかに緊急警報放送が含まれているかどうかを検査し、含まれていた場合には緊急警報放送の音声と映像あるいは音声のみを出力する。映像音声デコード部１０３は緊急警報放送検出部１０２から出力された音声と映像、あるいは音声のみをデコードし、映像表示部（図示せず）あるいは音声出力部（図示せず）に出力する。また、緊急警報放送検出部１０２は、緊急警報放送に応じて外部機器制御部１０４を介して外部機器を制御する。
【００１６】
選局制御部１０６は、選局リスト保持部１０５で保持されている、複数の放送局のチャンネル選局情報をもとに、一定時間ごとにチューナ部１０１を制御してチャンネルを切り換えるものである。
【００１７】
上記の構成に係る放送受信機において、以下その動作を図２に示すフローチャートを用いて説明する。選局制御部１０６は、選局リスト保持部１０５上のチャンネル選局情報を基に、チューナ部１０１を制御し選局を行う（Ｓ１０１）。緊急警報放送検出部１０２は、選局した放送局で緊急警報放送が行われているかどうかを検出する。緊急警報放送検出部１０２で緊急警報放送を検出した時には（Ｓ１０２でＹｅｓの時）、選局制御部１０６を制御し、緊急警報放送が検出された放送局でチャンネル切換を停止する（Ｓ１０３）。一方、緊急警報放送検出部１０２で緊急警報放送が検出されない時には（Ｓ１０２でＮｏの時）、次のチャンネルの選局を行う。
【００１８】
緊急警報放送を検出した時には、緊急警報放送の映像や音声を出力し（Ｓ１０４）、また外部機器制御部１０４を介して、緊急警報放送が放送されたことを外部機器に伝え、外部機器は緊急警報放送時に対応した動作を行う（Ｓ１０５）。
【００１９】
このように構成された本発明の放送受信機では、選局リスト保持部１０５に登録されているいずれかのチャンネルで緊急警報放送が開始されたときに、それを検出することができ、ユーザに緊急警報放送を提示することができるようになる。具体的には、受信機がスタンバイ状態であるときに緊急警報放送を検出した場合には、自動的に受信機を起動させ、緊急警報放送の映像、音声を出力することで、ユーザに告知するなどの利用が考えられる。
【００２０】
また外部機器制御部１０４を用いて、この受信機に接続されている外部機器を操作することによって、二次災害を未然に防いだり、受信機とは離れた場所にいるユーザへ告知するなどの応用が可能となる。具体的には、ガスの元栓をしめたり、ストーブを消火するなどの制御を行わせることが考えられる。あるいは表示灯を点灯させることや、ユーザの携帯電話へ発信するなどを行なってもよい。
【００２１】
なお、チューナ部１０１が受信できる電波は、アナログ地上波テレビ放送、デジタル地上波テレビ放送だけではなく、衛星放送、アナログラジオ放送、デジタルラジオ放送、などが受信できるものであってもよい。
【００２２】
（実施の形態２）
図３は本発明の実施の形態２における、放送受信機の構成を示すブロック図である。
【００２３】
図３において、チューナ部１０１、緊急警報放送検出部１０２、映像音声デコード部１０３、外部機器制御部１０４、選局リスト保持部１０５、選局制御部１０６について、実施の形態１と同じ構成要素は同じ番号を付与し、説明を省略する。
【００２４】
中継局情報保持部１０７は、ひとつの放送局がその中継局によって異なる物理チャンネルで送出を行う場合の、各物理チャンネルの情報を放送局毎に記憶しているものである。
【００２５】
地上デジタル放送の場合、ひとつの放送局が、中継局では別の物理チャンネルをつかって電波を送出するばあい、ＮＩＴ（Ｎｅｔｗｏｒｋ  Ｉｎｆｏｒｍａｔｉｏｎ  Ｔａｂｌｅ）にその物理チャンネルの情報が記載される。車載用の地上デジタル放送受信機の場合には、どこか１つの中継局で電波を受けることができた場合、そこに含まれるＮＩＴを参照することによって、同じ放送がほかのどの物理チャンネルで放送されているかを知ることができる。
【００２６】
この情報を利用し、選局リスト保持部１０５から指示された放送局の、中継局の各物理チャンネル情報を参照し、一定時間ごとに物理チャンネルを切り換えるように選局制御部１０６を制御することによって、移動したことによって受信状況が変化しても、現在の場所に近い別の中継局を見つけることができるので、緊急警報放送をもれなく受信することができる。
【００２７】
なお、ひとつの放送局に複数の中継局がある場合でも、それらの中継局では送出する周波数が異なるだけで、内容はまったく同じ放送を行っているので、いずれかひとつの中継局で放送が受信できて、緊急警報放送の有無の判定ができたならば、それ以外の中継局を検査する必要はない。したがって、そのような場合には、中継局を順番に選局する処理を中止し、次のチャンネルの選局を行うことによって検出処理の高速化を図ってもよい。
【００２８】
なお、実施の形態１を行ったうえで受信できないチャンネルについてのみ、その放送局の中継局を選局して緊急警報放送の検査を行なってもよい。
【００２９】
（実施の形態３）
図４は本発明の実施の形態３における、放送受信機の構成を示すブロック図である。
【００３０】
図４において、チューナ部１０１、緊急警報放送検出部１０２、映像音声デコード部１０３、外部機器制御部１０４、選局リスト保持部１０５、選局制御部１０６について、実施の形態１と同じ構成要素は同じ番号を付与し、説明を省略する。
【００３１】
選局リスト切換部１０８は、選局リスト保持部１０５が複数の選局リストを持っている場合にそれらを切り換えるためのものである。
【００３２】
たとえば受信機が、アナログテレビ放送とデジタルテレビ放送とＦＭラジオ放送を受信できるものであった場合、アナログテレビ放送の選局リストだけで順番に選局しながら緊急警報放送を検査していたのでは、その間にＦＭラジオ放送で緊急警報放送が行われた場合、検出できなくなってしまう。そのために選局リスト切換部１０８で、アナログテレビ放送とデジタルテレビ放送とＦＭラジオ放送の間で選局リストを切換ながら順番に選局するように動作させることによって、受信可能な放送をすべて監視し、どのメディアで緊急警報放送が行われても検出することができるものである。
【００３３】
なお、緊急警報放送を運用していないメディアがあらかじめわかっている場合には、検出の応答性をあげるために、監視対象からはずすことができるように、ユーザが設定できるようにしてもよい。
【００３４】
また、地上デジタル放送を受信する場合において、地域ごとに選局リストが異なるため、複数の選局リストを保持することが考えられる。たとえば自宅周辺用の選局リストである「ホーム」選局リストと、自宅周辺から離れた場所で、よく行く場所用の選局リストである「おでかけ」選局リストを持つ場合、それらの両方の選局リストを切換ながら順番に選局することで、緊急警報放送を監視するといった利用が考えられる。
【００３５】
なお、地上デジタル放送ではなく、アナログテレビ放送やラジオ放送であってもよい。
【００３６】
なお、実施の形態１や実施の形態２を実施しているときに、受信できない放送局があった場合にのみ、実施の形態３のようにほかのメディアやほかの選局リストを選局するように切り換えられるようにしてもよい。
【００３７】
（実施の形態４）
図５は本発明の実施の形態４における、放送受信機の構成を示すブロック図である。
【００３８】
図５において、チューナ部１０１、緊急警報放送検出部１０２、映像音声デコード部１０３、外部機器制御部１０４、選局リスト保持部１０５、選局制御部１０６について、実施の形態１と同じ構成要素は同じ番号を付与し、説明を省略する。
【００３９】
現在位置検出部１０９は、ＧＰＳ（Ｇｌｏｂａｌ  Ｐｏｓｉｔｉｏｎｉｎｇ  Ｓｙｓｔｅｍ）等、現在位置を求めることができるもので、位置情報を出力する。
【００４０】
選局リスト更新部１１０は、現在位置検出部１０９から出力された位置情報をもとにその位置から受信可能な放送局を選択し、選局リストを出力し、選局リスト保持部１０５の選局リスト情報を更新するものである。
【００４１】
選局制御部１０６は、現在位置により逐次更新された選局リストをもとに、チューナ部１０１を選局することにより、場所が移動しても、緊急警報放送の監視を効率よく行うことができるものである。
【００４２】
なお、実施の形態１や実施の形態２や実施の形態３を実施しているときに、受信できない放送局があった場合にのみ、実施の形態４のように現在位置情報を利用する処理にきりかえてもよい。
【００４３】
（実施の形態５）
図６は本発明の実施の形態５における、放送受信機の構成を示すブロック図である。
【００４４】
図６において、チューナ部１０１、緊急警報放送検出部１０２、映像音声デコード部１０３、外部機器制御部１０４、選局制御部１０６について、実施の形態１と同じ構成要素は同じ番号を付与し、説明を省略する。
【００４５】
選局周波数切換部１１１は、放送が運用されるすべての周波数を順番に切り換えるように選局制御部１０６を制御するものである。たとえば地上デジタル放送であれば、物理チャンネルで言うところの、ＵＨＦ１３ｃｈ，１４ｃｈ，１５ｃｈ．．．．，６２ｃｈの５０個のすべての物理チャンネルを順番に切り換えるような動作を行う。
【００４６】
このように選局制御部１０６を制御することによって、すべての周波数を監視するので、場所を移動しても、ユーザはなにも設定しなくても、緊急警報放送を取りこぼすことなく検出することができるものである。
【００４７】
なお、すべての周波数の監視を行うにあたり、検出処理を高速化し、監視周期を短縮するために、電波強度や信号レベルに応じて監視時間の重み付けを行ってもよい。
【００４８】
なお、実施の形態１や実施の形態２や実施の形態３や実施の形態４を実施しているときに、受信できない放送局があった場合にのみ、実施の形態５のように切り換えられるようにしてもよい。
【００４９】
（実施の形態６）
図７は本発明の実施の形態６における、放送受信機の構成を示すブロック図である。
【００５０】
図７において、チューナ部１０１、映像音声デコード部１０３、外部機器制御部１０４、選局リスト保持部１０５、選局制御部１０６について、実施の形態１と同じ構成要素は同じ番号を付与し、説明を省略する。
【００５１】
緊急警報放送検出部１０２は、復調信号のなかに緊急警報放送が含まれているかどうかを検査し、含まれていた場合には緊急警報放送選局判断部１１３の判断に従い、緊急警報放送の音声と映像あるいは音声のみを出力する。緊急警報放送履歴記憶部１１２は、緊急警報放送検出部１０２が検出したチャンネルを記憶するものであり、チャンネルごとに緊急警報放送の選局の履歴を記憶する。緊急警報放送選局判断部１１３は、緊急警報放送検出部１０２が検出したチャンネルを、既に選局済みでユーザへ提示済みかどうかを判断する。
【００５２】
上記の構成に係る放送受信機において、以下その動作を図８に示すフローチャートを用いて説明する。選局制御部１０６は、選局リスト保持部１０５上のチャンネル選局情報を基に、チューナ部１０１を制御し選局を行う（Ｓ２０１）。緊急警報放送検出部１０２は、選局した放送局で緊急警報放送が行われているかどうかを検出する。緊急警報放送検出部１０２で緊急警報放送を検出した時には（Ｓ２０２でＹｅｓの時）、選局制御部１０６を制御し、緊急警報放送が検出された放送局でチャンネル切換を停止する（Ｓ２０３）。一方、緊急警報放送検出部１０２で緊急警報放送が検出されない時には（Ｓ２０２でＮｏの時）、次のチャンネルの選局を行う。
【００５３】
緊急警報放送を検出した時には、緊急警報放送選局判断部１１３は緊急警報放送検出部１０２で検出したチャンネルが緊急警報放送履歴記憶部１１２に記憶された既に選局した緊急警報放送のチャンネルかどうかを確認する（Ｓ２０４）。既に選局済みである場合（Ｓ２０４でＹｅｓの時）は、次のチャンネルの選局を行う。一方、緊急警報放送選局判断部１１３が、まだ選局されていないチャンネルであると判断した場合（Ｓ２０４でＮｏの時）には、緊急警報放送検出部１０２は緊急警報放送履歴記憶部１１２に選局したチャンネル情報を記憶する（Ｓ２０５）とともに、緊急警報放送の映像や音声を出力し（Ｓ２０６）、また外部機器制御部１０４を介して、緊急警報放送が放送されたことを外部機器に伝え、外部機器は緊急警報放送時に対応した動作を行う（Ｓ２０７）。
【００５４】
このように構成された本発明の放送受信機では、緊急警報放送履歴記憶部１１２に登録されているいずれかのチャンネルで緊急警報放送が開始されたときには、既にユーザがそのチャンネルの緊急警報放送を視聴済みであると判断し、別のチャンネルの緊急警報放送の検出に遷移することで、繰り返し同じ緊急警報放送をユーザへ提示することが無く、自動的に次のチャンネルを選局し緊急警報放送の有無を判断することができ、ユーザへ煩雑な操作を繰り返し要求することが無くなり、ユーザの操作性向上、利便性向上を図ることが可能となる。
【００５５】
なお、本実施例では緊急警報放送検出部１０２が検出した緊急警報放送を選局し、ユーザが視聴することを前提としているが、緊急警報放送の放送内容がユーザにとって不要な情報である場合など、ユーザがユーザの意思で選局した緊急警報放送の視聴を取りやめた（例えば、緊急警報放送を選局する前の状態へ戻すなど、緊急警報放送を選局している状態以外の状態へ切り替えた）場合、その緊急警報放送のチャンネルは視聴済みであると判断し、緊急警報放送履歴記憶部１１２にチャンネル情報を記憶してもよい。これにより、取りやめた緊急警報放送を繰り返し選局することが無くなり、ユーザの意思が尊重された動作が可能となり、利便性の向上を図ることができる。
【００５６】
なお、本実施例では緊急警報放送検出部１０２は緊急警報放送履歴記憶部１１２に選局したチャンネル情報を記憶するのみである。しかし、図９に示すフローチャートを用いて説明するように、緊急警報放送検出部１０２が検出した緊急警報放送をユーザが緊急警報放送終了まで視聴した場合には（Ｓ２０８でＹｅｓの時）、緊急警報放送検出部１０２は緊急警報放送履歴記憶部１１２に記憶した緊急警報放送のチャンネル情報を削除するようにしてもよい（Ｓ２０９）。それにより、新たに緊急警報放送を受信した場合に、緊急警報放送選局判断部１１３が、まだ選局されていないチャンネルであると判断（Ｓ２０４でＮｏの時）するため、ユーザは新しい緊急警報放送の情報を自動的にかつ容易に入手することができるようになる。
【００５７】
なお、本実施例では緊急警報放送検出部１０２は緊急警報放送履歴記憶部１１２に選局したチャンネル情報を記憶するのみである。しかし、図１０に示すフローチャートを用いて説明するように、緊急警報放送検出部１０２で緊急警報放送が検出されない時には（Ｓ２０２でＮｏの時）、緊急警報放送履歴記憶部１１２に登録されているチャンネル情報を削除（Ｓ２１０）してもよい。これにより、第一の発明である選局リストに基づき順次選局を行い、緊急警報放送を検出する動作において緊急警報放送履歴記憶部１１２が記憶するチャンネルで緊急警報放送検出部１０２が緊急警報放送を検出できなかった場合は、緊急警報放送履歴記憶部１１２が記憶するチャンネルで緊急警報放送が終了したものと判断することができ、再び同じチャンネルで別の新たな緊急警報放送が開始された場合に、既に視聴済みであると判断することなく、再度、新たな緊急警報放送の情報をユーザが視聴することが可能となり、ユーザの利便性を向上することができる。
【００５８】
（実施の形態７）
図１１は本発明の実施の形態７における、放送受信機の構成を示すブロック図である。
【００５９】
図１１において、チューナ部１０１、映像音声デコード部１０３、外部機器制御部１０４、選局リスト保持部１０５、選局制御部１０６、緊急警報放送履歴記憶部１１２、緊急警報放送選局判断部１１３について、実施の形態６と同じ構成要素は同じ番号を付与し、説明を省略する。
【００６０】
選局回数設定部１１４は、緊急警報放送検出部１０２が復調信号のなかに緊急警報放送が含まれているかどうかを検査し含まれていた場合に、既に緊急警報放送が含まれるチャンネルが選局され緊急警報放送履歴記憶部１１２に記憶されている場合でも、緊急警報放送選局判断部１１３が繰り返し選局する回数を設定する。
【００６１】
緊急警報放送選局判断部１１３は、緊急警報放送検出部１０２が緊急警報放送を検出し、緊急警報放送のあるチャンネルを選局した回数をカウントし、選局回数設定部１１４で設定された回数までは、緊急警報放送履歴記憶部１１２に同じチャンネル情報が記憶されている場合でも選局するとの判断を行う。
【００６２】
緊急警報放送選局判断部１１３は、緊急警報放送検出部１０２が緊急警報放送を検出し、緊急警報放送のあるチャンネルを選局した回数が選局回数設定部１１４で設定された回数を超えた場合、既定回数を既に選局済みであると判断する。
【００６３】
このように構成された本発明の放送受信機では、例えばユーザが緊急警報放送の内容に基づき現在位置が危険地域でないかなどを判断するために、カーナビゲーションシステムなどを用いて現在位置の情報を得ようとする場合が考えられ、カーナビゲーションシステムに内蔵された放送受信機では、ユーザが意図的に緊急警報放送の視聴を取りやめることが想定される。同じチャンネルで緊急警報放送検出部１０２が緊急警報放送を検出した場合でも、緊急警報放送選局判断部１１３は緊急警報放送履歴記憶部１１２が記憶する緊急警報放送のチャンネルを再び選局することが可能となり、ユーザはカーナビゲーションシステムで得られた現在位置と、緊急警報放送の内容を総合的に判断することができ、ユーザの行動を的確に補助するなど利便性の向上を図ることができる。
【００６４】
なお、本実施例では選局回数設定部１１４は、あらかじめ設定された選局回数を緊急警報放送選局判断部１１３に通知するようにしているが、図１２に示すようなメニューなどのＧｒａｐｈｉｃａｌ  Ｕｓｅｒ  Ｉｎｔｅｒｆａｃｅ（ＧＵＩ）を用いて、ユーザがあらかじめ設定できる構成にしても良い。また、本ＧＵＩでは、上下ボタンで選局回数の設定を行うようにしているが、１０キーを用いて局回数を数値入力するＧＵＩや、メカニカルスイッチなどのハードを用いて、緊急警報放送選局判断部１１３へ繰り返し選局を行う回数を通知する構成にしてもよい。これにより、ユーザごとに異なる操作性にあわせた緊急警報放送の選局回数を設定することができ、ユーザの操作性および利便性の向上を図ることができる。
【００６５】
なお、本実施例では、緊急警報放送選局判断部１１３は選局回数をカウントするのみであるが、緊急警報放送検出部１０２が緊急警報放送を検出しなかった場合には、カウントの回数をリセットするようにしても良い。これにより、新たな緊急警報放送の送出が開始された場合に、ユーザは新しい緊急警報放送の情報を再度同じ回数だけ選局させることができ、常にユーザが希望する機能を提供することが可能となり、利便性の向上を図ることができる。
【産業上の利用可能性】
【００６６】
本発明にかかる放送受信機は、車載用放送受信機や携帯用放送受信機など、移動しながら放送を視聴する受信機で利用可能である。
【図面の簡単な説明】
【００６７】
【図１】本発明の実施の形態１における放送受信機の構成を示すブロック図
【図２】本発明の実施の形態１における放送受信機の動作を示すフローチャート
【図３】本発明の実施の形態２における放送受信機の構成を示すブロック図
【図４】本発明の実施の形態３における放送受信機の構成を示すブロック図
【図５】本発明の実施の形態４における放送受信機の構成を示すブロック図
【図６】本発明の実施の形態５における放送受信機の構成を示すブロック図
【図７】本発明の実施の形態６における放送受信機の構成を示すブロック図
【図８】本発明の実施の形態６における放送受信機の動作を示すフローチャート
【図９】本発明の実施の形態６における放送受信機の動作を示すフローチャート
【図１０】本発明の実施の形態６における放送受信機の動作を示すフローチャート
【図１１】本発明の実施の形態７における放送受信機の構成を示すブロック図
【図１２】本発明の実施の形態７におけるＧＵＩ画面の一例を示す図
【符号の説明】
【００６８】
１０１    チューナ部
１０２    緊急警報放送検出部
１０３    映像音声デコード部
１０４    外部機器制御部
１０５    選局リスト保持部
１０６    選局制御部
１０７    中継局情報保持部
１０８    選局リスト切換部
１０９    現在位置検出部
１１０    選局リスト更新部
１１１    選局周波数切換部
１１２    緊急警報放送履歴記憶部
１１３    緊急警報放送選局判断部
１１４    選局回数設定部
【図１】
2008136163.tif 000003
【図２】
2008136163.tif 000004
【図３】
2008136163.tif 000005
【図４】
2008136163.tif 000006
【図５】
2008136163.tif 000007
【図６】
2008136163.tif 000008
【図７】
2008136163.tif 000009
【図８】
2008136163.tif 000010
【図９】
2008136163.tif 000011
【図１０】
2008136163.tif 000012
【図１１】
2008136163.tif 000013
【図１２】
2008136163.tif 000014